(57)【要約】【課題】簡素な構成で光源装置を交換する際の安全性を向上させることができるプロジェクタの提供。【解決手段】プロジェクタ１は、外装ケース２と、外装ケース２に着脱自在に取り付けられ、取り外すことで開口部２１Ａを介して光源装置４１３を交換可能とするランプカバー２３と、熱変形部材５とを備える。ランプカバー２３には、熱変形部材５を視認可能な窓部２３１が形成されている。熱変形部材５は、カバー規制部５２を備える。光源装置４１３が高温状態の場合には、熱変形部材５は、ランプカバー２３側に湾曲した状態となり、カバー規制部５２は、ランプカバー２３の係合部２３３に嵌合することで係止してランプカバー２３の開放を規制する。また、プロジェクタ１の使用者は、窓部２３１を介して熱変形部材５にてランプカバー２３の開放が規制されている状態を確認することができる。【選択図】図４
2008241895.tif 000002
【特許請求の範囲】
【請求項１】
光源装置と、当該光源装置から射出された光を画像情報に応じて変調して光学像を形成する光変調装置と、形成された光学像を拡大投射する投射光学装置とを有する画像投射装置と、前記画像投射装置を収納する筐体とを備えるプロジェクタであって、
前記筐体は、
当該筐体に形成された光源収納部に前記光源装置を挿抜するための開口部を閉塞する着脱自在な蓋部材と、
熱に応じて変形し、変形することで前記蓋部材に設けられた係合部と係止して当該蓋部材の開放を規制する熱変形部材とを備え、
当該筐体には、前記熱変形部材にて前記蓋部材が係止されているか否かを視認可能な窓部が形成されていることを特徴とするプロジェクタ。
【請求項２】
請求項１に記載のプロジェクタにおいて、
前記熱変形部材は、バイメタルであることを特徴とするプロジェクタ。
【請求項３】
請求項１または請求項２に記載のプロジェクタにおいて、
前記熱変形部材には、当該熱変形部材にて前記蓋部材が係止されているときに前記窓部を介して視認される部分と、当該熱変形部材にて当該蓋部材が係止されていないときに当該窓部を介して視認される部分とで異なる標識が付されていることを特徴とするプロジェクタ。
【請求項４】
請求項１から請求項３のいずれかに記載のプロジェクタにおいて、
前記筐体には、熱に応じて表示状態が異なるラベルが付されていることを特徴とするプロジェクタ。
【発明の詳細な説明】
【技術分野】
【０００１】
本発明は、プロジェクタ、特に、光源装置を交換可能に構成されたプロジェクタに関する。
【背景技術】
【０００２】
従来、光源装置から射出された光を画像情報に応じて変調して光学像を形成し、形成した光学像を拡大投射するプロジェクタが知られている。また、このようなプロジェクタの光源装置としては、放電型の光源ランプが利用される場合があるが、光源ランプには寿命があるので、光源装置を交換する必要がある。このため、光源装置を交換可能に構成されたプロジェクタが知られている（例えば、特許文献１参照）。
特許文献１に記載のプロジェクタでは、光源装置を内部に収納するプロジェクタの筐体に、光源装置を挿抜するための開口部が形成され、この開口部には、嵌め込み式のランプカバーが着脱自在に取り付けられている。そして、プロジェクタの使用者は、ランプカバーを開放し、開口部を介して光源装置を交換することができる。
【０００３】
【特許文献１】特開２００５−２５８４７５号公報
【発明の開示】
【発明が解決しようとする課題】
【０００４】
しかしながら、特許文献１に記載のプロジェクタでは、光源装置に電力が供給されている場合や、電力が停止していても停止後に十分な時間が経過していない場合などに、光源装置を交換すると、使用者が高温状態の光源装置に触れる可能性があるという問題がある。このため、例えば、光源装置の温度を検出する温度センサにより検出される温度に応じてランプカバーの開放を規制する等の機構をプロジェクタに設ける必要があった。しかしながら、このような機構は、構成や制御が複雑になるという問題があった。
【０００５】
本発明の目的は、簡素な構成で光源装置を交換する際の安全性を向上させることができるプロジェクタを提供することにある。
【課題を解決するための手段】
【０００６】
本発明のプロジェクタは、光源装置と、当該光源装置から射出された光を画像情報に応じて変調して光学像を形成する光変調装置と、形成された光学像を拡大投射する投射光学装置とを有する画像投射装置と、前記画像投射装置を収納する筐体とを備えるプロジェクタであって、前記筐体は、当該筐体に形成された光源収納部に前記光源装置を挿抜するための開口部を閉塞する着脱自在な蓋部材と、熱に応じて変形し、変形することで前記蓋部材に設けられた係合部と係止して当該蓋部材の開放を規制する熱変形部材とを備え、当該筐体には、前記熱変形部材にて前記蓋部材が係止されているか否かを視認可能な窓部が形成されていることを特徴とする。
【０００７】
このような構成によれば、熱変形部材は、光源装置の熱に応じて変形して蓋部材の開放を規制することができる。したがって、プロジェクタの使用者は、光源装置が高温状態の場合には、蓋部材を開放して光源装置を交換することができないので、簡素な構成で光源装置を交換する際の安全性を向上させることができる。
また、プロジェクタの使用者は、窓部を介して熱変形部材にて蓋部材が係止されているか否かを視認することにより、蓋部材の開放が規制されている状態を確認することができるので、光源装置の温度が高いことを把握することができ、光源装置を交換する際の安全性を更に向上させることができる。
【０００８】
本発明では、前記熱変形部材は、バイメタルであることが好ましい。
このような構成によれば、熱変形部材は、光源装置の熱に応じて湾曲して蓋部材の開放を規制することができるので、簡素な構成で光源装置を交換する際の安全性を向上させることができる。また、バイメタルは、比較的安価な部材であるので、プロジェクタの製造コストを低減させることができる。
【０００９】
本発明では、前記熱変形部材には、当該熱変形部材にて前記蓋部材が係止されているときに前記窓部を介して視認される部分と、当該熱変形部材にて当該蓋部材が係止されていないときに当該窓部を介して視認される部分とで異なる標識が付されていることが好ましい。
【００１０】
ここで、標識とは、プロジェクタの使用者が容易に各部分を認識することができる目印のことであり、例えば、色、模様、数字等を例示することができる。
このような構成によれば、窓部を介して視認される標識は、熱変形部材にて蓋部材が係止されているか否かにより異なるので、プロジェクタの使用者は、蓋部材の開放が規制されている状態を容易に確認することができる。したがって、プロジェクタの使用者は、光源装置の温度が高いことを容易に把握することができ、光源装置を交換する際の安全性を更に向上させることができる。
【００１１】
本発明では、前記筐体には、熱に応じて表示状態が異なるラベルが付されていることが好ましい。
プロジェクタには、蓋部材の周囲に、光源装置が高温状態の可能性がある旨の警告を表示するシール等のラベルが付されている場合がある。しかしながら、このような表示を常にしていると、プロジェクタの使用者が見慣れてしまい、表示を意識しなくなってしまうという問題がある。また、プロジェクタの外観上、このような表示は目立たせないようにすることが好ましい。
【００１２】
このような問題に対し、本発明では、光源装置の熱に応じて表示状態が異なるラベルにより、光源装置が高温状態の場合にのみ警告を表示するので、プロジェクタの使用者の注意を引き易くなり、光源装置を交換する際の安全性を更に向上させることができる。また、光源装置が常温状態の場合には、警告が表示されないので、プロジェクタの外観上においても目立たないため好ましい。
【発明を実施するための最良の形態】
【００１３】
以下、本発明の一実施形態を図面に基づいて説明する。
〔プロジェクタの主な構成〕
図１は、プロジェクタ１を上方から見た全体斜視図である。
プロジェクタ１は、図１に示すように、全体略直方体形状の外装ケース２を備え、この外装ケース２は、それぞれ樹脂製とされたアッパーケース２１、ロアーケース２２で構成されている。これらのケース２１，２２は、互いにネジで固定されている。
【００１４】
筐体としての外装ケース２には、後述する光学ユニット４（図２参照）が内部に収納配置される。また、図示は省略するが、外装ケース２の光学ユニット４以外の空間には、プロジェクタ１内部を冷却する冷却ファン等で構成される冷却ユニット、プロジェクタ１内部の各構成部材に電力を供給する電源ユニット、およびプロジェクタ１全体を制御する制御ユニット等が配置される。
なお、外装ケース２は、樹脂製に限らず、金属製であってもよい。また、外装ケースの一部を樹脂製とし、他の部分を金属製とすることも可能である。例えば、アッパーケース２１を樹脂製とし、ロアーケース２２を金属製としても良い。
【００１５】
アッパーケース２１の上面の前方側には、後述する光源装置４１３（図２参照）を挿抜するための開口部２１Ａが形成され、この開口部２１Ａには、蓋部材としてのランプカバー２３が嵌め込み式で着脱自在に取り付けられている。また、開口部２１Ａの後方側には、ランプカバー２３を取り外す際に、プロジェクタ１の使用者が手を掛ける手掛け部２１１が形成されている。そして、ランプカバー２３は、手掛け部２１１にプロジェクタ１の使用者が手を掛けて引き上げることで取り外すことができる。
開口部２１Ａの後方側には、外装ケース２内部を視認可能な窓部２３１が形成され、ランプカバー２３の略中央位置には、シール２３２が貼り付けられている。なお、これらのランプカバー２３、窓部２３１、およびシール２３２については、後に詳述する。
【００１６】
また、開口部２１Ａの側方（図１中右側）には、投射レンズ４６の上面部分が露出した切欠部２１２が形成され、投射レンズ４６のズーム操作、フォーカス操作を、レバーを介して手動で行えるようになっている。この切欠部２１２の後方側には、プロジェクタ１の起動・調整操作を実施する操作パネル２４が設けられている。
アッパーケース２１の正面には、切欠部２１２と連続した丸孔開口２１３が形成され、この丸孔開口２１３に対応して投射レンズ４６が配置されている。
【００１７】
ロアーケース２２の正面には、丸孔開口２１３と反対側に形成された排気口２２１が位置している。排気口２２１には、冷却空気を画像投射領域から外れる方向、すなわち図１中左側へ排気するとともに、遮光機能を兼ねた排気用ルーバ２５が設けられている。
また、ロアーケース２２の側面には、プロジェクタ１を持ち運ぶためのコ字形のハンドル２６が回動自在に取り付けられている。
【００１８】
〔光学ユニットの詳細な構成〕
図２は、光学ユニット４を模式的に示す図である。
画像投射装置としての光学ユニット４は、図２に示すように、光源から射出された光を画像情報に応じて変調して光学像を形成し、形成した光学像を拡大投射する平面視略Ｕ字形のユニットであり、インテグレータ照明光学系４１、色分離光学系４２、リレー光学系４３、電気光学装置４４、クロスダイクロイックプリズム４５、および投射レンズ４６を備えている。
【００１９】
インテグレータ照明光学系４１は、後述する３枚の液晶パネル４４１（赤、緑、青の色光毎にそれぞれ液晶パネル４４１Ｒ，４４１Ｇ，４４１Ｂと示す）の画像形成領域をほぼ均一に照明するための光学系であり、光源装置４１３と、第１レンズアレイ４１８と、第２レンズアレイ４１４と、偏光変換素子４１５と、第１コンデンサレンズ４１６と、反射ミラー４２４と、第２コンデンサレンズ４１９とを備えている。
【００２０】
光源装置４１３は、高圧放電ランプにて構成され、放射状の光を射出する光源ランプ４１１と、光源ランプ４１１から射出された光を反射することにより略平行光として射出するリフレクタ４１２とを有する。
第１レンズアレイ４１８は、光軸方向から見てほぼ矩形状の輪郭を有する小レンズがマトリクス状に配列された構成を有している。各小レンズは、光源ランプ４１１から射出される光を、複数の部分光に分割している。
第２レンズアレイ４１４は、第１レンズアレイ４１８と略同様な構成を有しており、小レンズがマトリクス状に配列された構成を有している。この第２レンズアレイ４１４は、
第１コンデンサレンズ４１６および第２コンデンサレンズ４１９とともに、第１レンズアレイ４１８の各小レンズの像を液晶パネル４４１上に結像させる機能を有している。
【００２１】
偏光変換素子４１５は、第２レンズアレイ４１４からの光を１種類の偏光光に変換するものである。偏光光を変調するタイプの液晶パネルを用いたプロジェクタでは、１種類の偏光光しか利用できないため、偏光変換素子４１５を用いることにより、光源ランプ４１１からの射出光を略１種類の偏光光に変換し、電気光学装置４４での光の利用効率を高めている。
【００２２】
色分離光学系４２は、２枚のダイクロイックミラー４２１，４２２と、反射ミラー４２３とを備え、ダイクロイックミラー４２１、４２２によりインテグレータ照明光学系４１から射出された複数の部分光を赤、緑、青の３色の色光に分離する機能を有している。
リレー光学系４３は、入射側レンズ４３１、リレーレンズ４３３、および反射ミラー４３２、４３４を備え、色分離光学系４２で分離された青色光を液晶パネル４４１Ｂまで導く機能を有している。
【００２３】
ここで、色分離光学系４２のダイクロイックミラー４２１では、インテグレータ照明光学系４１から射出された光における青色光と緑色光とが透過するとともに、赤色光が反射する。ダイクロイックミラー４２１によって反射した赤色光は、反射ミラー４２３で反射し、フィールドレンズ４１７を通って偏光板４４２で偏光方向が揃えられた後、赤色用の液晶パネル４４１Ｒに達する。このフィールドレンズ４１７は、第２レンズアレイ４１４から射出された各部分光をその中心軸（主光線）に対して平行な光に変換する。他の液晶パネル４４１Ｇ、４４１Ｂの光入射側に設けられたフィールドレンズ４１７も同様である。
【００２４】
ダイクロイックミラー４２１を透過した青色光と緑色光のうちで、緑色光はダイクロイックミラー４２２によって反射し、フィールドレンズ４１７を通って偏光板４４２で偏光方向が揃えられた後、緑色用の液晶パネル４４１Ｇに達する。一方、青色光はダイクロイックミラー４２２を透過してリレー光学系４３を通り、さらにフィールドレンズ４１７を通って偏光板４４２で偏光方向を揃えて青色光用の液晶パネル４４１Ｂに達する。
【００２５】
電気光学装置４４は、色分離光学系４２で分離された各色光を、画像情報に応じて変調して光学像を形成するものである。電気光学装置４４は、３枚の光変調装置としての液晶パネル４４１Ｒ，４４１Ｇ，４４１Ｂと、各液晶パネル４４１の光入射側および光射出側にある偏光板４４２とを備えている。そして、色分離光学系４２で分離された各色光は、各液晶パネル４４１と、各偏光板４４２とによって、画像情報に応じて変調される。なお、液晶パネル４４１Ｒ，４４１Ｇ，４４１Ｂには、例えば、ポリシリコンＴＦＴ（Thin Film Transistor）をスイッチング素子として用いたものを採用することができる。
【００２６】
クロスダイクロイックプリズム４５は、３枚の液晶パネル４４１Ｒ，４４１Ｇ，４４１Ｂから射出された色光毎に変調された画像を合成してカラー画像を形成するものである。なお、クロスダイクロイックプリズム４５には、赤色光を反射する誘電体多層膜と青色光を反射する誘電体多層膜とが、４つの直角プリズムの界面に沿って略Ｘ字状に形成され、これらの誘電体多層膜によって３つの色光が合成される。そして、クロスダイクロイックプリズム４５で合成されたカラー画像は、投射光学装置としての投射レンズ４６から射出され、図示しないスクリーン上に拡大投射される。
【００２７】
〔ランプカバーの係止構造〕
次に、ランプカバー２３の係止構造について説明する。
図３は、光源装置４１３が常温状態の場合における光源収納部２７の状態を示す断面図である。また、図４は、光源装置４１３が高温状態の場合における光源収納部２７の状態を示す断面図である。
外装ケース２におけるランプカバー２３の下部位置には、図３および図４に示すように、光源収納部２７が形成され、この光源収納部２７には、光源装置４１３が収納されている。そして、光源装置４１３は、ランプカバー２３を取り外すことにより開口部２１Ａを介して挿抜することができる。また、ランプカバー２３には、外装ケース２の内部側の面から面外方向に突出し、先端部分がランプカバー２３の周縁方向に延出する断面略Ｌ字状の係合部２３３が設けられている。
さらに、外装ケース２の内部には、係合部２３３の先端部分の延出方向に対向する位置に、熱変形部材５が設けられている。なお、プロジェクタ１の使用者は、窓部２３１を介して熱変形部材５を視認することができる。
【００２８】
熱変形部材５は、図３および図４に示すように、バイメタル５１と、カバー規制部５２とを備える。
バイメタル５１は、熱膨張率の低い金属からなる低熱膨張金属５１１と、熱膨張率の高い金属からなる高熱膨張金属５１２とを貼り合わせたものである。また、低熱膨張金属５１１は、ランプカバー２３側の面に配置され、高熱膨張金属５１２は、ランプカバー２３とは反対側の面に配置されている。なお、低熱膨張金属５１１としては、例えば、Ｆｅ−Ｎｉ−Ｍｎ合金等を採用することができ、これに対する高熱膨張金属５１２としては、例えば、Ｆｅ−Ｎｉ−Ｃｒ−Ｍｎ合金等を採用することができる。バイメタル５１は、光源装置４１３が光を射出することにより高温状態になると、低熱膨張金属５１１と、高熱膨張金属５１２の熱膨張率の違いにより湾曲する。
【００２９】
具体的に、光源装置４１３が常温状態の場合には、図３に示すように、低熱膨張金属５１１および高熱膨張金属５１２の長さが略同じとなり、バイメタル５１は略直線状となる。一方、光源装置４１３が高温状態の場合には、図３に示すように、低熱膨張金属５１１と比較して高熱膨張金属５１２の長さが長くなり、バイメタル５１は、ランプカバー２３側に湾曲した状態となる。すなわち、熱変形部材５は、光源装置４１３の熱に応じて湾曲する。
【００３０】
カバー規制部５２は、ランプカバー２３の係合部２３３と係止してランプカバー２３の開放を規制する部分であり、図３および図４に示すように、バイメタル５１のランプカバー２３側の一端に取り付けられている。ここで、光源装置４１３が常温状態の場合には、図３に示すように、バイメタル５１は略直線状となる。したがってカバー規制部５２は、ランプカバー２３を取り外す際にランプカバー２３の係合部２３３と干渉せず、ランプカバー２３の開放を規制しない。一方、光源装置４１３が高温状態の場合には、図４に示すように、ランプカバー２３側に湾曲した状態となる。これにより、カバー規制部５２は、ランプカバー２３の係合部２３３に嵌合することで係止してランプカバー２３の開放を規制する。
【００３１】
次に、窓部２３１を介して視認される熱変形部材５について説明する。
図５は、光源装置４１３が常温状態の場合における窓部２３１およびシール２３２の状態を示す図である。また、図６は、光源装置４１３が高温状態の場合における窓部２３１およびシール２３２の状態を示す図である。
カバー規制部５２には、図５に示すように、光源装置４１３が常温状態の場合、すなわち、カバー規制部５２にてランプカバー２３が係止されていないときに窓部２３１を介して視認可能な位置と、光源装置４１３が高温状態の場合、すなわち、カバー規制部５２にてランプカバー２３が係止されているときに窓部２３１を介して視認可能な位置とで異なる色が付されている。
【００３２】
具体的に、光源装置４１３が常温状態の場合には、カバー規制部５２における領域５２Ａを、窓部２３１を介して視認することができる。また、光源装置４１３が高温状態の場合には、カバー規制部５２における領域５２Ｂを、窓部２３１を介して視認することができる。したがって、本実施形態では、カバー規制部５２の領域５２Ａおよび領域５２Ｂで異なる色が付されている。なお、領域５２Ａは、光源装置４１３が常温状態の場合にプロジェクタ１の使用者が窓部２３１を介して視認する領域であるので、使用者に安全である旨を知らせるような色、例えば緑色等を付すことが好ましい。また、領域５２Ｂは、光源装置４１３が高温状態の場合にプロジェクタ１の使用者が窓部２３１を介して視認する領域であるので、使用者の注意を喚起するような色、例えば赤色等を付すことが好ましい。
【００３３】
また、ランプカバー２３には、前述したように、サーモクロミズム特性を有するシール２３２が貼り付けられている。なお、サーモクロミズム特性とは、熱により可逆的に色彩が変化する特性である。
ラベルとしてのシール２３２は、光源装置４１３が常温状態の場合には、図５に示すように、文字等の表示のない無地の状態である。一方、光源装置４１３が高温状態の場合には、ランプカバー２３には断熱効果があるものの温度が上昇するので、シール２３２は、図６に示すように、ランプカバー２３の熱により色彩が変化して光源装置４１３が高温状態である旨の警告を示す文字等が表示される。すなわち、シール２３２は、光源装置４１３の熱に応じて表示状態が異なる。
【００３４】
本実施形態に係るプロジェクタ１によれば、次のような効果がある。
（１）熱変形部材５は、光源装置４１３の熱に応じて変形してランプカバー２３の開放を規制することができる。したがって、プロジェクタ１の使用者は、光源装置４１３が高温状態の場合には、ランプカバー２３を開放して光源装置４１３を交換することができないので、簡素な構成で光源装置４１３を交換する際の安全性を向上させることができる。
（２）窓部２３１を介して視認される色は、熱変形部材５にてランプカバー２３が係止されているか否かにより異なるので、プロジェクタ１の使用者は、ランプカバー２３の開放が規制されている状態を容易に確認することができる。したがって、プロジェクタ１の使用者は、光源装置４１３の温度が高いことを容易に把握することができ、光源装置４１３を交換する際の安全性を更に向上させることができる。
【００３５】
（３）熱変形部材５は、バイメタル５１を備え、光源装置４１３の熱に応じて湾曲してランプカバー２３の開放を規制することができるので、簡素な構成で光源装置４１３を交換する際の安全性を向上させることができる。また、バイメタルは、比較的安価な部材であるので、プロジェクタの製造コストを低減させることができる。
（４）シール２３２は、光源装置４１３が高温状態の場合にのみ警告を表示することができるので、プロジェクタ１の使用者の注意を引き易くなり、光源装置４１３を交換する際の安全性を更に向上させることができる。また、光源装置４１３が常温状態の場合には、警告が表示されないので、プロジェクタ１の外観上においても目立たないため好ましい。
【００３６】
〔実施形態の変形〕
本発明は前記実施形態に限定されるものではなく、本発明の目的を達成できる範囲での変形、改良等は本発明に含まれるものである。
前記実施形態では、熱変形部材５は、バイメタル５１で構成されていたが、例えば、形状記憶合金等で構成されていてもよく、要するに、熱に応じて変形するものであればよい。
前記実施形態では、カバー規制部５２には、領域５２Ａと、領域５２Ｂとで異なる色が付されていたが、例えば、模様や、文字等であってもよく、要するに、プロジェクタの使用者が容易に各領域を認識することができる標識であればよい。さらには、カバー規制部５２ではなく、窓部２３１を介して視認可能なその他の位置に標識を付してもよく、要するに、プロジェクタの使用者がランプカバー２３の開放が規制されている状態を確認することができればよい。
【００３７】
前記実施形態では、シール２３２は、ランプカバー２３に貼り付けられていたが、光源装置が高温状態の場合に温度が上昇し、かつ、プロジェクタの使用者から視認可能な場所であれば、これ以外の場所に貼り付けられていてもよい。さらには、プロジェクタの使用者が蓋部材の開放が規制されている状態を、窓部を介して十分に確認することができる場合には、シール２３２は、貼り付けられていなくてもよい。
前記実施形態では、シール２３２をラベルとして採用していたが、例えば、プロジェクタの筐体にサーモクロミズム特性を有するプレート等を取り付けてもよく、要するに、光源装置４１３の熱に応じて表示状態が異なるラベルであればよい。
前記実施形態では、光源装置４１３を挿抜するための開口部２１Ａは、プロジェクタ１の上面のアッパーケース２１に形成されていたが、例えば、プロジェクタの側面や下面等に形成されていてもよく、要するに、プロジェクタの筐体に光源装置を総抜するための開口部が形成されていればよい。
【００３８】
前記実施形態では、透過型の液晶パネル４４１を採用していたが、これに限らず、反射型の液晶パネルを採用してもよく、あるいは、デジタルマイクロミラーデバイス（ＤＭＤ）を採用してもよい。なお、ＤＭＤは米国テキサスインスツルメンツ社の商標である。
前記実施形態では、液晶パネル４４１を３枚設けた構成としていたが、これに限らず、１枚のみの液晶パネル４４１を設ける構成、２枚の液晶パネル４４１を設ける構成、４枚以上の液晶パネル４４１を設ける構成としてもよい。
【産業上の利用可能性】
【００３９】
本発明は、プロジェクタに利用でき、特に、光源装置を交換可能なプロジェクタに好適に利用することができる。
【図面の簡単な説明】
【００４０】
【図１】本発明の一実施形態に係るプロジェクタを上方から見た全体斜視図。
【図２】前記実施形態に係る光学ユニットを模式的に示す図。
【図３】前記実施形態に係る光源装置が常温状態の場合における光源収納部の状態を示す断面図。
【図４】前記実施形態に係る光源装置が高温状態の場合における光源収納部の状態を示す断面図。
【図５】前記実施形態に係る光源装置が常温状態の場合における窓部およびシールの状態を示す図。
【図６】前記実施形態に係る光源装置が高温状態の場合における窓部およびシールの状態を示す図。
【符号の説明】
【００４１】
１…プロジェクタ、２…外装ケース（筐体）、４…光学ユニット、５…熱変形部材、２３…ランプカバー（蓋部材）、２１Ａ…開口部、２７…光源収納部、４６…投射レンズ（投射光学装置）、５１…バイメタル、５２…カバー規制部、５２Ａ，５２Ｂ…領域、２３１…窓部、２３２…シール（ラベル）、２３３…係合部、４１３…光源装置、４４１Ｒ，４４１Ｇ，４４１Ｂ…液晶パネル（光変調装置）。
【図１】
2008241895.tif 000003
【図２】
2008241895.tif 000004
【図３】
2008241895.tif 000005
【図４】
2008241895.tif 000006
【図５】
2008241895.tif 000007
【図６】
2008241895.tif 000008